【手続補正書】
【提出日】平成17年12月2日(2005.12.2)
【手続補正１】
【補正対象書類名】明細書
【補正対象項目名】発明の名称
【補正方法】変更
【補正の内容】
【発明の名称】印刷処理状況通知方法、情報処理装置及び制御プログラム
【手続補正２】
【補正対象書類名】明細書
【補正対象項目名】特許請求の範囲
【補正方法】変更
【補正の内容】
【特許請求の範囲】
【請求項１】  サーバとクライアント端末と印刷装置とが通信可能な印刷システムに適用される印刷処理状況通知方法であって、
前記サーバが、前記クライアント端末から送られた印刷要求に応じて印刷用データを生成する印刷用データ生成ステップと、
前記印刷用データ生成ステップで生成された印刷用データを前記印刷装置に送信する印刷用データ送信ステップと、
前記サーバが、前記印刷装置が提供するウェブページであって印刷ジョブの処理状況を表すウェブページを取得するための情報を前記クライアント端末に送信する送信ステップと、
前記クライアント端末が、前記送信ステップで送信された情報に基づいて、前記ウェブページを前記印刷装置から取得するウェブページ取得ステップと
を有することを特徴とする印刷処理状況通知方法。
【請求項２】  前記サーバが、前記クライアント端末から送られた印刷要求が正当なユーザからの印刷要求であることを認証する認証ステップを更に有することを特徴とする請求項１記載の印刷処理状況通知方法。
【請求項３】  前記印刷装置が、印刷フォームデータと前記印刷用データ生成ステップによって生成された印刷用データとを合成して、印刷用画像データを生成するフォームオーバーレイステップと、
前記印刷装置が、前記フォームオーバーレイステップによって生成された印刷用画像データに基づき印刷を実行する印刷ステップとを有することを特徴とする請求項１或いは２記載の印刷処理状況通知方法。
【請求項４】  前記送信ステップでは、前記ウェブページを取得するための情報として前記ウェブページを示す識別情報を前記クライアント端末に送信することを特徴とする請求項１乃至３のいずれかに記載の印刷処理状況通知方法。
【請求項５】 前記クライアント端末が、前記ウェブページ取得ステップで取得されたウェブページに基づいて印刷処理の状況をウェブブラウザにおいて表示する表示ステップを有することを特徴とする請求項１乃至４のいずれかに記載の印刷処理状況通知方法。
【請求項６】  サーバとクライアント端末と印刷装置とが通信可能な印刷システムに適用される印刷処理状況通知方法であって、
前記サーバが、前記クライアント端末から送られた印刷要求に応じて印刷用データを生成する印刷用データ生成ステップと、
前記印刷用データ生成ステップで生成された印刷用データを前記印刷装置に送信する印刷用データ送信ステップと、
前記サーバが、前記印刷装置が提供するウェブページであって印刷ジョブの処理状況を表すウェブページを前記印刷装置から取得する取得ステップと、
前記サーバが、前記取得ステップで取得されたウェブページを前記クライアント端末に送信する送信ステップとを有することを特徴とする印刷処理状況通知方法。
【請求項７】 前記クライアント端末が、前記ウェブページ取得ステップで取得されたウェブページに基づいて印刷処理の状況をウェブブラウザにおいて表示する表示ステップを有することを特徴とする請求項６記載の印刷処理状況通知方法。
【請求項８】  外部装置と印刷装置とに通信可能な情報処理装置であって、
前記外部装置から送られた印刷要求に応じて印刷用データを生成する印刷用データ生成手段と、
前記印刷用データ生成手段により生成された印刷用データを前記印刷装置に送信する印刷用データ送信手段と、
前記印刷装置が提供するウェブページであって印刷ジョブの処理状況を表すウェブページを取得するための情報、または前記ウェブページを前記外部装置に送信する送信手段とを有し、
前記外部装置は前記ウェブページに基づいて印刷ジョブの処理状況を表示することを特徴とする情報処理装置。
【請求項９】 外部装置と印刷装置とに通信可能なコンピュータの制御プログラムであって、
当該制御プログラムは、前記外部装置から送られた印刷要求に応じて印刷用データを生成する印刷用データ生成モジュールと、
前記印刷用データ生成モジュールで生成された印刷用データを前記印刷装置に送信するデータ送信モジュールと、
前記印刷装置が提供するウェブページであって印刷ジョブの処理状況を表すウェブページを取得するための情報、または前記ウェブページを前記外部装置に送信する送信モジュールとをコンピュータに実行させ、
前記外部装置は前記ウェブページに基づいて印刷ジョブの処理状況を表示することを特徴とする制御プログラム。
【手続補正３】
【補正対象書類名】明細書
【補正対象項目名】０００１
【補正方法】変更
【補正の内容】
【０００１】
【発明の属する技術分野】
本発明は、印刷処理状況通知方法、情報処理装置及び制御プログラムに関し、特に、サーバとクライアント端末と印刷装置とが通信可能な印刷システムに適用される印刷処理状況通知方法、外部装置と印刷装置とに通信可能な情報処理装置及び制御プログラムに関する。
【手続補正４】
【補正対象書類名】明細書
【補正対象項目名】０００８
【補正方法】変更
【補正の内容】
【０００８】
本発明は、このような問題点に鑑みてなされたものであって、印刷が完了したか否かをクライアント端末で知ることを可能にした印刷処理状況通知方法、情報処理装置及び制御プログラムを提供することを目的とする。
【手続補正５】
【補正対象書類名】明細書
【補正対象項目名】０００９
【補正方法】変更
【補正の内容】
【０００９】
【課題を解決するための手段】
上記目的を達成するために、請求項１記載の本発明によれば、サーバとクライアント端末と印刷装置とが通信可能な印刷システムに適用される印刷処理状況通知方法であって、前記サーバが、前記クライアント端末から送られた印刷要求に応じて印刷用データを生成する印刷用データ生成ステップと、前記印刷用データ生成ステップで生成された印刷用データを前記印刷装置に送信する印刷用データ送信ステップと、前記サーバが、前記印刷装置が提供するウェブページであって印刷ジョブの処理状況を表すウェブページを取得するための情報を前記クライアント端末に送信する送信ステップと、前記クライアント端末が、前記送信ステップで送信された情報に基づいて、前記ウェブページを前記印刷装置から取得するウェブページ取得ステップとを有することを特徴とする印刷処理状況通知方法が提供される。
【手続補正６】
【補正対象書類名】明細書
【補正対象項目名】００１０
【補正方法】変更
【補正の内容】
【００１０】
また、請求項６記載の本発明によれば、サーバとクライアント端末と印刷装置とが通信可能な印刷システムに適用される印刷処理状況通知方法であって、前記サーバが、前記クライアント端末から送られた印刷要求に応じて印刷用データを生成する印刷用データ生成ステップと、前記印刷用データ生成ステップで生成された印刷用データを前記印刷装置に送信する印刷用データ送信ステップと、前記サーバが、前記印刷装置が提供するウェブページであって印刷ジョブの処理状況を表すウェブページを前記印刷装置から取得する取得ステップと、前記サーバが、前記取得ステップで取得されたウェブページを前記クライアント端末に送信する送信ステップとを有することを特徴とする印刷処理状況通知方法が提供される。
【手続補正７】
【補正対象書類名】明細書
【補正対象項目名】００１１
【補正方法】変更
【補正の内容】
【００１１】
また、請求項８記載の本発明によれば、外部装置と印刷装置とに通信可能な情報処理装置であって、前記外部装置から送られた印刷要求に応じて印刷用データを生成する印刷用データ生成手段と、前記印刷用データ生成手段により生成された印刷用データを前記印刷装置に送信する印刷用データ送信手段と、前記印刷装置が提供するウェブページであって印刷ジョブの処理状況を表すウェブページを取得するための情報、または前記ウェブページを前記外部装置に送信する送信手段とを有し、前記外部装置は前記ウェブページに基づいて印刷ジョブの処理状況を表示することを特徴とする情報処理装置が提供される。
さらに、請求項９記載の本発明によれば、外部装置と印刷装置とに通信可能なコンピュータの制御プログラムであって、当該制御プログラムは、前記外部装置から送られた印刷要求に応じて印刷用データを生成する印刷用データ生成モジュールと、前記印刷用データ生成モジュールで生成された印刷用データを前記印刷装置に送信するデータ送信モジュールと、前記印刷装置が提供するウェブページであって印刷ジョブの処理状況を表すウェブページを取得するための情報、または前記ウェブページを前記外部装置に送信する送信モジュールとをコンピュータに実行させ、前記外部装置は前記ウェブページに基づいて印刷ジョブの処理状況を表示することを特徴とする制御プログラムが提供される。